【事件の表示】
　特願２０１１−１２８６１９「撮像装置」拒絶査定不服審判事件〔平成２４年１２月２７日出願公開、特開２０１２−２５４１７６、請求項の数（８）〕について、次のとおり審決する。
【結　論】
　原査定を取り消す。
　本願の発明は、特許すべきものとする。
【理　由】
第１　手続の経緯
　本願は、平成２３年６月８日の出願であって、平成２７年６月１日付けで拒絶理由が通知され、同年７月１５日に意見書が提出され、同年１０月２９日付けで拒絶理由が通知され、同年１２月１１日に意見書及び手続補正書が提出され、平成２８年５月２７日付けで拒絶査定（以下、「原査定」という。）されたところ、同年７月２０日に拒絶査定不服審判の請求がなされ、同時に手続補正がなされ、その後当審において平成２９年６月６日付けで拒絶理由（以下、「当審拒絶理由」という。）が通知され、同年７月２０日に意見書及び手続補正書が提出されたものである。
第２　原査定の概要
　原査定の概要は次のとおりである。
　本願請求項１−２に係る発明は以下の引用文献１−２、４に基づいて、また、本願請求項３に係る発明は以下の引用文献１−４に基づいて、その発明の属する技術の分野における通常の知識を有する者（以下、「当業者」という。）が容易に発明できたものであるから、特許法第２９条第２項の規定により特許を受けることができない。
引用文献等一覧
１．特開昭６３−１７７１０６号公報
２．特開２０００−１９４２７号公報
３．特開平１０−３３４７４号公報
４．特開２０１０−５１５３８号公報
第３　当審拒絶理由の概要
　当審拒絶理由の概要は次のとおりである。
　この出願は、請求項１の記載が、特許法第３６条第６項第１号に規定する要件を満たしていない。
　
　具体的には、以下の指摘がされている。
「　請求項１には、「前記対物光学部の前記プリズムを前記受光部領域上に配置し、前記対物光学部の前記対物レンズユニットを構成する前記保持枠を前記回路部領域上に配置した」との記載がある。 
 　当該記載における「上に配置」とは単に固体撮像素子の前記一面と垂直な方向から見たときのプリズム及び保持枠と、受光部領域及び回路部領域との位置関係を限定しているにすぎないと解することができ、例えば、保持枠が回路部領域上に空間を介して配置されているものも含まれている。 
 　・・・
 　そして、保持枠が回路部領域上に空間を介して配置されているものは、回路部領域は保持枠によって支持されていないため、【０００５】段落に記載された固体撮像素子の回路部領域と受光部領域との機械強度の差は解消しておらず、上記本願発明が解決しようとしている課題を解決することができない。 
　したがって、請求項１の記載は、本願の発明詳細な説明に開示された課題を解決するための手段を十分に反映したものではない。」
第４　本願発明
　本願請求項１−８に係る発明（以下、それぞれ「本願発明１」−「本願発明８」という。）は、平成２９年７月２０日に提出された手続補正書で補正された特許請求の範囲の請求項１−８に記載された事項により特定される発明であり、本願発明１は、以下のとおりの発明である。
「　【請求項１】
　一面を、撮像した被検体の光学像の撮像信号を生成する受光部を設けた受光部領域、前記受光部で生成した撮像信号の信号処理及び当該受光部を駆動する駆動信号の生成を行う回路部を設けた回路部領域、及び前記回路部と外部装置との間で信号を入出力する際に用いる複数の端子を設けた端子部領域に区分した固体撮像素子と、
　被検体の光学像を結像するための対物レンズ群を備えたユニット本体および前記ユニット本体が固設される保持枠を備えて構成される対物レンズユニット、及び前記ユニット本体の光軸を折り曲げて前記対物レンズユニットを通過した光学像を前記固体撮像素子の前記受光部に導くプリズムを有する対物光学部と、備え、
　前記固体撮像素子は、先端側から基端に向かって、順に前記回路部領域、前記受光部領域が設けられており、
　前記対物光学部の前記プリズムを前記受光部領域に固設し、前記対物光学部の前記対物レンズユニットを構成する前記保持枠を前記回路部領域に固設したことを特徴とする撮像装置。」
第５　引用文献、引用発明等
１　引用文献１について
　原査定の拒絶の理由に引用された引用文献１（特開昭６３−１７７１０６号公報）には、図面とともに次の事項が記載されている（下線は当審で付した）。
（引１ａ）「〔産業上の利用分野〕
　この発明は、
挿入部の先端部にＣＣＤ等の固体撮像素子を組込んだ内視鏡
（引１ｂ）「〔実施例〕
　以下、この発明の実施例を図面に基づいて説明する。第１図に示すように、
内視鏡の挿入部先端部１は、先端構成部材２と、この先端構成部材２に一端部が嵌着された円筒状の先端筒３から構成されている。
先端構成部材２には、対物光学系５が、内視鏡の挿入部の先端部の長手方向に貫通するようにして固定され設けられている。
対物光学系５の後端にはプリズムからなる光学素子９が接合される状態で設けられている。この光学素子９は、対物光学系５からの光軸を略直角に屈曲させるようにしている。光学素子９によって屈曲された光軸方向には固体撮像素子１０が設けられている。
　
固体撮像素子１０は、第１図及び第２図に示されるようにセラミックベース１１上にＣＣＤチップ１２が接合され、その上にカバーガラス１３が取付けられている。このカバーガラス１３の上面は光学素子９の下面と接合するように位置されている。
封止樹脂１９
（引１ｃ）「第８図はさらに他の例を示すもので、この例では、ＣＣＤチップ１２の挿入部先端側にのみボンディングパッドを設けたものである。また、
周辺ＩＣチップ３１及び電子回路部品２５をＣＣＤチップ１２よりも先端側に設けている
ベース１１の手元側にはコネクタ３３が形成されて
（引１ｄ）第８図は、以下のようなものである。
　したがって、上記（引１ａ）−（引１ｃ）の下線部の記載を総合すると、上記引用文献１には次の発明（以下、「引用発明」という。）が記載されている。
　なお，引用発明の認定の根拠となった対応する摘記箇所等を付記した。
「挿入部の先端部にＣＣＤ等の固体撮像素子を組込んだ内視鏡であって（引１ａ）、
　内視鏡の挿入部先端部１は、先端構成部材２と、この先端構成部材２に一端部が嵌着された円筒状の先端筒３から構成されており、先端構成部材２には、対物光学系５が、内視鏡の挿入部の先端部の長手方向に貫通するようにして固定され設けられており（引１ｂ）、
　対物光学系５の後端にはプリズムからなる光学素子９が接合される状態で設けられ、この光学素子９は、対物光学系５からの光軸を略直角に屈曲させるようにされ、光学素子９によって屈曲された光軸方向には固体撮像素子１０が設けられており（引１ｂ）、
　固体撮像素子１０は、セラミックベース１１上にＣＣＤチップ１２が接合され、その上にカバーガラス１３が取付けられ、このカバーガラス１３の上面は光学素子９の下面と接合するように位置されており（引１ｂ）、
　周辺ＩＣチップ３１及び電子回路部品２５をＣＣＤチップ１２よりも先端側に設けてあり、ベース１１の手元側にはコネクタ３３が形成されている（引１ｃ）
　内視鏡」
２　引用文献２−４について
（１）引用文献２について
　原査定の拒絶の理由に引用された引用文献２（特開２０００−１９４２７号公報）には、その【０００８】段落及び図１−４の記載からみて、「撮像素子水平置きタイプ（撮像素子が内視鏡軸100に対し平行となるタイプ）の内視鏡において、対物レンズ系１０は内視鏡軸（長手方向の軸）100に沿って配置されることになり、この対物レンズ系１０の後端面に直角プリズム１１が取り付けられ、このプリズム１１の下側面に撮像素子体１２が光学的に接続され、この撮像素子体１２が回路基板１３に接続されている」という技術的事項が記載されている。
（２）引用文献３について
　原査定の拒絶の理由に引用された引用文献３（特開平１０−３３４７４号公報）には、その【００１４】段落及び図１の記載からみて、「ＣＣＤパッケージ１３は、外部リードを介してフレキシブル基板１４にハンダ等によって接続固定され、フレキシブル基板１４上にはこのＣＣＤパッケージ１３の他に、ＩＣ１９、コンデンサ２０等の電子部品が実装され、これらの電子部品を接続するパターンが設けられ、フレキシブル基板１４は、ＣＣＤベアチップ１０や各電子部品と種々の信号の送受を行う信号線２１を接続するランドを有している撮像装置」という技術的事項が記載されている。
（３）引用文献４について
　原査定の拒絶の理由に引用された引用文献４（特開２０１０−５１５３８号公報）には、その【００１６】−【００１７】段落及び図１−２の記載からみて、「光電変換を行う受光部が複数個配置されてなる撮像部１６が上面上に設けられた固体撮像装置１と、固体撮像装置１の撮像部１６上に直接設置され、入射光の光軸を垂直に曲げて入射光を撮像部１６へと導くプリズム２と、固体撮像装置１上で撮像部１６から見て列方向の一方（第１の方向）に位置する複数の端子１７とを備えた撮像装置であって、固体撮像装置１の上面には、垂直走査回路４と、カラムＡＤＣ５、ラインメモリ６、水平走査回路７、ＰＳ変換回路１０、ＬＶＤＳ回路９、タイミングジェネレータ８、及びＤＡＣ１１が集積化されている撮像装置」という技術的事項が記載されている。
３　その他の文献について
（１）文献５について
　文献５（特開２００９−２９４５４０号公報）には、その【０００３】段落に、「内視鏡、例えば電子内視鏡の挿入部における挿入方向先端側の先端部内には、管路内を観察するための対物光学系や、該対物光学系を保持する対物レンズ枠等から構成された対物レンズユニットや、ＣＣＤ等の固体撮像素子を具備する撮像ユニット等が設けられているのが一般的である」という技術的事項が記載されている。
（２）文献６について
　文献６（特開平１１−３２９８２号公報）には、その【請求項１】に、「固体撮像素子により撮影した被検体の画像を表示装置に表示する電子内視鏡装置において、前記固体撮像素子は、複数の画素を有し各画素毎に入射した光を光電変換する光電変換部と、この光電変換部から撮像信号を読み出すための転送部と、を備えるとともに、前記転送部を駆動するための駆動信号を発生させる駆動信号発生部、前記撮像信号を処理する信号処理部、前記撮像信号に基づいて搬送波を変調し無線送信する無線送信部、およびこの固体撮像素子に電力を供給する電力供給部のうちいずれか１つ、またはこれらの任意の組合せを１チップに集積化したことを特徴とする電子内視鏡装置」という技術的事項が記載されている。
　なお、当該文献６に記載された技術的事項は、本願出願時において、当業者にとって周知の技術的事項であると認められる。
第６　対比・判断
１　本願発明１について
（１）対比
　本願発明１と引用発明とを対比すると、次のことがいえる。
ア　引用発明における「内視鏡」は、本願発明１における「撮像装置」に相当する。
イ　引用発明における「ＣＣＤチップ１２」、「周辺ＩＣチップ３１及び電子回路部品２５」及び「コネクタ３３」は、それぞれ、本願発明１の「撮像した被検体の光学像の撮像信号を生成する受光部」、「前記受光部で生成した撮像信号の信号処理及び当該受光部を駆動する駆動信号の生成を行う回路部」及び「前記回路部と外部装置との間で信号を入出力する際に用いる複数の端子を設けた端子部」に相当する。
　したがって、「ＣＣＤチップ１２」、「周辺ＩＣチップ３１及び電子回路部品２５」及び「コネクタ３３」を「セラミックベース１１上」に設けた引用発明における「固体撮像素子１０」と、本願発明１における「一面を、撮像した被検体の光学像の撮像信号を生成する受光部を設けた受光部領域、前記受光部で生成した撮像信号の信号処理及び当該受光部を駆動する駆動信号の生成を行う回路部を設けた回路部領域、及び前記回路部と外部装置との間で信号を入出力する際に用いる複数の端子を設けた端子部領域に区分した固体撮像素子」とは、「撮像した被検体の光学像の撮像信号を生成する受光部、前記受光部で生成した撮像信号の信号処理及び当該受光部を駆動する駆動信号の生成を行う回路部、及び前記回路部と外部装置との間で信号を入出力する際に用いる複数の端子を設けた端子部」を有する「固体撮像素子」である点で共通する。
ウ　引用発明における「対物光学系５」及び「対物光学系５からの光軸を略直角に屈曲させるようにされ」た「プリズムからなる光学素子９」は、それぞれ、本願発明１の「被検体の光学像を結像するための対物レンズ群」及び「光軸を折り曲げて」て「光学像を前記固体撮像素子の前記受光部に導くプリズム」に相当する。
　したがって、引用発明における「対物光学系５の後端にはプリズムからなる光学素子９が接合される状態で設けられ、この光学素子９は、対物光学系５からの光軸を略直角に屈曲させるようにされ、光学素子９によって屈曲された光軸方向には固体撮像素子１０が設けられて」いることと、本願発明１の「被検体の光学像を結像するための対物レンズ群を備えたユニット本体および前記ユニット本体が固設される保持枠を備えて構成される対物レンズユニット、及び前記ユニット本体の光軸を折り曲げて前記対物レンズユニットを通過した光学像を前記固体撮像素子の前記受光部に導くプリズムを有する対物光学部」とは、「被検体の光学像を結像するための対物レンズ群、及び対物レンズ群の光軸を折り曲げて対物レンズ群を通過した光学像を前記固体撮像素子の前記受光部に導くプリズムを有する対物光学部」で共通する。
エ　引用発明における「周辺ＩＣチップ３１及び電子回路部品２５をＣＣＤチップ１２よりも先端側に設け」ていることと、本願発明１における「前記固体撮像素子は、先端側から基端に向かって、順に前記回路部領域、前記受光部領域が設けられて」いることとは、「固体撮像素子は、先端側から基端に向かって、順に前記回路部、前記受光部が設けられて」いる点で共通する。
オ　引用発明における「固体撮像素子１０は、セラミックベース１１上にＣＣＤチップ１２が接合され、その上にカバーガラス１３が取付けられ、このカバーガラス１３の上面は光学素子９の下面と接合するように位置されて」いることと、本願発明１における「前記対物光学部の前記プリズムを前記受光部領域に固設し」ていることとは、「前記対物光学部の前記プリズムを前記受光部に固設し」ている点で共通する。
　したがって、本願発明１と引用発明との間には、次の一致点、相違点があるといえる。
（一致点）
「　撮像した被検体の光学像の撮像信号を生成する受光部、前記受光部で生成した撮像信号の信号処理及び当該受光部を駆動する駆動信号の生成を行う回路部、及び前記回路部と外部装置との間で信号を入出力する際に用いる複数の端子を設けた端子部を有する固体撮像素子と、
　被検体の光学像を結像するための対物レンズ群、及び対物レンズ群の光軸を折り曲げてを通過した光学像を前記固体撮像素子の前記受光部に導くプリズムを有する対物光学部と、を備え、
　固体撮像素子は、先端側から基端に向かって、順に前記回路部、前記受光部が設けられており、
　前記対物光学部の前記プリズムを前記受光部に固設した
　撮像装置。」
（相違点）
（相違点１）固体撮像素子について、本願発明１は「一面を、」「受光部領域」、「回路部領域」及び「端子部領域に区分した」素子であるのに対し、引用発明は「セラミックベース１１上に」「ＣＣＤチップ１２が接合され」、「周辺ＩＣチップ３１及び電子回路部品２５」が「設けてあり」、「コネクタ３３が形成されている」点。
（相違点２）対物光学部について、本願発明１は「対物レンズ群を備えたユニット本体および前記ユニット本体が固設される保持枠を備えて構成される対物レンズユニット」という構成を備えるのに対し、引用発明はそのような構成を備えていない点。
（相違点３）固体撮像素子と対物光学部との関係について、本願発明１は「前記対物光学部の前記対物レンズユニットを構成する前記保持枠を前記回路部領域に固設した」という構成を備えるのに対し、引用発明はそのような構成を備えていない点。
（２）相違点についての判断
　事案に鑑みて、上記相違点３について先に検討すると、相違点３に係る本願発明１の「前記対物光学部の前記対物レンズユニットを構成する前記保持枠を前記回路部領域に固設した」という構成は、上記引用文献１−６には記載されておらず、本願出願日前において周知技術であるともいえない。
　また、引用文献１の第８図（上記第５の１に摘記した（引１ｄ））においては、ベース１１と対物光学系５との間に、符号「１９」で示される部分があることが読み取れるが、上記第５の１に摘記した（引１ｂ）の記載を参酌すればこの「１９」で示される部分は「ボンディングパッド及びボンディングワイヤ」を「樹脂封止」するための「封止樹脂１９」であって、ベース１１と対物レンズ光学系５とを固設する機能を有するものではない。
　そして、第８図を含み、引用文献１の全体を参酌しても、「対物光学系５」を、その下に配置されている「固体撮像素子１０」に「固設」するとの技術思想は開示されていない。
　したがって、他の相違点について判断するまでもなく、本願発明１は、当業者であっても引用発明、引用文献２−４及び文献５−６に記載された技術的事項に基づいて容易に発明できたものであるとはいえない。
２　本願発明２−８について
　本願発明２−８も、本願発明１の「前記対物光学部の前記対物レンズユニットを構成する前記保持枠を前記回路部領域に固設した」と同一の構成を備えるものであるから、本願発明１と同じ理由により、当業者であっても、引用発明ならびに引用文献２−４及び文献５−６に記載された技術的事項に基づいて容易に発明できたものとはいえない。
第７　原査定についての判断
　平成２９年７月２０日に提出された手続補正書による補正後の請求項１−８は、「前記対物光学部の前記対物レンズユニットを構成する前記保持枠を前記回路部領域に固設した」という技術的事項を有するものとなっており、当業者であっても、拒絶査定において引用された引用文献１−４に基づいて、容易に発明できたものではない。
　したがって、原査定を維持することはできない。
第８　当審拒絶理由について
　当審では、請求項１の「前記対物光学部の前記プリズムを前記受光部領域上に配置し、前記対物光学部の前記対物レンズユニットを構成する前記保持枠を前記回路部領域上に配置した」との記載では、本願の発明詳細な説明に開示された課題を解決するための手段を十分に反映したものではないとの拒絶の理由を通知しているが、平成２９年７月２０日になされた手続補正によって、請求項１の当該記載が「前記対物光学部の前記プリズムを前記受光部領域に固設し、前記対物光学部の前記対物レンズユニットを構成する前記保持枠を前記回路部領域に固設した」と補正された結果、この拒絶の理由は解消した。
第９　むすび
　以上のとおり、原査定の理由及び当審拒絶理由によって、本願を拒絶することはできない。
　他に本願を拒絶すべき理由を発見しない。
　よって、結論のとおり審決する。